(57)【要約】【課題】大きな減衰量であってもノイズの影響等を少なくし、広帯域にわたって入力信号の波形の劣化を抑えた可変減衰装置を実現することにある。【解決手段】入力端子に入力された電気信号を減衰して出力端子から出力する可変減衰装置に改良を加えたものである。本装置は、入力端子からの電気信号を、抵抗で分圧して減衰させる初段の減衰器と、この初段の減衰器からの電気信号を、抵抗で分圧して減衰させて出力端子に出力する後段の減衰器と、この後段の減衰器に並列に設けられ、抵抗を介して接地されている信号線と、後段の減衰器または信号線の一方に、初段の減衰器からの出力を伝送させる切替スイッチとを設けたことを特徴とするものである。【選択図】図１
2008271451.tif 000002
【特許請求の範囲】
【請求項１】
入力端子に入力された電気信号を減衰して出力端子から出力する可変減衰装置において、
前記入力端子からの電気信号を、抵抗で分圧して減衰させる初段の減衰器と、
この初段の減衰器からの電気信号を、抵抗で分圧して減衰させて前記出力端子に出力する後段の減衰器と、
この後段の減衰器に並列に設けられ、抵抗を介して接地されている信号線と、
前記後段の減衰器または前記信号線の一方に、前記初段の減衰器からの出力を伝送させる切替スイッチと
を設けたことを特徴とする可変減衰装置。
【請求項２】
入力端子に入力された電気信号を減衰して出力端子から出力する可変減衰装置において、
第１の信号線と、
この第１の信号線と並列に設けられ、前記電気信号を抵抗で分圧して減衰させる減衰器を複数有する第２の信号線と、
前記第１の信号線または第２の信号線の一方を選択し、選択した信号線を介して前記入力端子からの電気信号を前記出力端子に伝送させる第１の切替スイッチと
を設け、
前記第２の信号線は、
前記入力端子からの電気信号を、抵抗で分圧して減衰させる初段の減衰器と、
この初段の減衰器からの電気信号を、抵抗で分圧して減衰させて前記出力端子に出力する後段の減衰器と、
この後段の減衰器に並列に設けられ、抵抗を介して接地されている信号線と、
前記後段の減衰器または前記信号線の一方に、前記初段の減衰器からの出力を伝送させる第２の切替スイッチと
を備えたことを特徴とする可変減衰装置。
【請求項３】
前記入力端子と前記第１の切替スイッチの間に分圧用の抵抗を設けたことを特徴とする請求項２記載の可変減衰器。
【請求項４】
入力インピーダンスが減衰量によらず一定となることを特徴とする請求項１〜３のいずれかに記載の可変減衰装置。
【発明の詳細な説明】
【技術分野】
【０００１】
本発明は、例えば、オシロスコープ、電力計等の測定器の入力部や、ファンクションジェネレータ等の信号発生器の出力部等に用いられ、本装置の入力端子に入力された電気信号を減衰して出力端子から出力する可変減衰装置に関し、詳しくは、大きな減衰量であってもノイズの影響等を少なくし、広帯域にわたって入力信号の波形の劣化を抑えた可変減衰装置に関するものである。
【背景技術】
【０００２】
測定器の入力部や信号発生器の出力部等では、測定対象からの信号や測定対象への信号を適切な信号レベルにするため可変減衰装置が設けられる（例えば、特許文献１参照）。
【０００３】
図５、図６は、従来の可変減衰装置の構成例を示した図であり、可変減衰装置の入力側からみた入力インピーダンスを１［ＭΩ］にした例である。また、同一のもには同一符号を付してある。
【０００４】
図５は、減衰比１／１００の１個の減衰器によって、入力信号の減衰量を１／１、１／１００に可変できる装置例である。図６は、減衰比１／１０の減衰器を２段直列に並べ、減衰量を１／１、１／１０、１／１００に可変できる装置例である。
【０００５】
図５において、入力端子Ｐｉは本装置の入力端子であり、出力端子Ｐｏは本装置の出力端子であり、入力端子Ｐｉに入力された入力信号（電気信号）を所望の減衰量（１／１〜１／１００）で減衰させて出力端子Ｐｏから出力する。
【０００６】
信号線Ｌ１と信号線Ｌ２は入力端子Ｐｉ、出力端子Ｐｏ間に並列に設けられる。信号線Ｌ１は減衰器がなく（減衰比１／１）、信号線Ｌ２上に減衰器１（減衰比１／１００）が設けられる。
【０００７】
切替スイッチは、入力側スイッチＳＷ１ａ、出力側スイッチＳＷ１ｂから構成され、スイッチＳＷ１ａ、ＳＷ１ｂは連動して切替を行なう。すなわち、切替スイッチＳＷ１ａ、ＳＷ１ｂは、信号線Ｌ１または信号線Ｌ２を択一的に選択し、選択した信号線Ｌ１、Ｌ２を介して入力端子Ｐｉからの電気信号を出力端子Ｐｏに伝送させる。
【０００８】
抵抗（抵抗値１［ＭΩ］）Ｒ０は、出力側スイッチＳＷ１ｂの出力端と出力端子Ｐｏ間に設けられ、一端が出力端子Ｐｏに電気的に接続され、他端がグランドに接地される。
【０００９】
減衰器１は、抵抗Ｒ１ａと抵抗Ｒ１ｂとで分圧回路を構成し、抵抗Ｒ１ａ、Ｒ１ｂの接点が減衰器１の出力になる。抵抗Ｒ１ａ、Ｒ１ｂの抵抗値それぞれは、例えば、９９０［ｋΩ］、１０．１［ｋΩ］である。
【００１０】
このような装置の動作を説明する。
減衰量を１／１とする場合、切替スイッチＳＷ１ａ、ＳＷ１ｂが、接続を切り替えて信号線Ｌ１を選択し、信号線Ｌ１を端子Ｐｉ，Ｐｏに接続させる。これによって、選択された信号線Ｌ１を介して入力端子Ｐｉからの電気信号が、減衰量１／１で出力端子Ｐｏに伝送される。
【００１１】
減衰量を１／１００とする場合、切替スイッチＳＷ１ａ、ＳＷ１ｂが、接続を切り替えて減衰器１を有する信号線Ｌ２を選択し、信号線Ｌ２を端子Ｐｉ，Ｐｏに接続させる。これによって、入力端子Ｐｉからの信号が、スイッチＳＷ１ａを介して信号線Ｌ２上の減衰器１に入力される。そして、減衰器１が、信号レベルを１／１００に減衰しスイッチＳＷ１ｂを介して出力端子Ｐｉに出力する。
【００１２】
続いて、図６において、入力端子Ｐｉと出力端子Ｐｏ間に、入力端子Ｐｉ側から順にスイッチＳＷ２ａ、並列に設けられた信号線Ｌ３、Ｌ４、スイッチＳＷ２ｂ、スイッチＳＷ３ａ、並列に設けられた信号線Ｌ５，Ｌ６、スイッチＳＷ３ｂ、抵抗Ｒ０が設けられる。
【００１３】
信号線Ｌ３，Ｌ５は減衰器が無く、減衰比１／１である。信号線Ｌ４には減衰器２が設けられ、信号線Ｌ６には減衰器３が設けられ、減衰器２、３共に減衰比１／１０である。
【００１４】
減衰器２は、抵抗による分圧回路であり、抵抗Ｒ２ａ、Ｒ２ｂを有する。減衰器３も、抵抗による分圧回路であり、抵抗Ｒ３ａ，Ｒ３ｂを有する。
【００１５】
切替スイッチＳＷ２ａ、ＳＷ２ｂは、連動して切替を行ない、信号線Ｌ３または信号線Ｌ４を択一的に選択し、選択した信号線Ｌ３、Ｌ４を介して入力端子Ｐｉからの電気信号を後段の切替スイッチ回路ＳＷ３ａに出力する。
【００１６】
切替スイッチＳＷ３ａ、ＳＷ３ｂは、連動して切替を行ない、信号線Ｌ５または信号線Ｌ６を択一的に選択し、選択した信号線Ｌ５、Ｌ６を介して切替スイッチＳＷ２ｂからの電気信号を出力端子Ｐｏに出力する。
【００１７】
このような装置の動作を説明する。
減衰量を１／１とする場合、切替スイッチＳＷ２ａ、ＳＷ２ｂが、接続を切り替えて信号線Ｌ３を選択し、切替スイッチＳＷ３ａ、ＳＷ３ｂが、接続を切り替えて信号線Ｌ５を選択する。これにより、入力端子Ｐｉ、信号線Ｌ３，Ｌ５，出力端子Ｐｏが電気的に接続され、入力端子Ｐｉからの電気信号が、減衰量１／１で出力端子Ｐｏに伝送される。
【００１８】
減衰量を１／１０とする場合、切替スイッチＳＷ２ａ、ＳＷ２ｂが、接続を切り替えて信号線Ｌ４（減衰器有りの経路）を選択し、切替スイッチＳＷ３ａ、ＳＷ３ｂが、接続を切り替えて信号線Ｌ５（減衰器無しの経路）を選択する。これにより、入力端子Ｐｉ、信号線Ｌ４，Ｌ５，出力端子Ｐｏが電気的に接続される。そして、入力端子Ｐｉからの電気信号の信号レベルが、減衰器２によって１／１０に減衰されて出力端子Ｐｏに伝送される。
【００１９】
減衰量を１／１００とする場合、切替スイッチＳＷ２ａ、ＳＷ２ｂが、接続を切り替えて信号線Ｌ４を選択し、切替スイッチＳＷ３ａ、ＳＷ３ｂが、接続を切り替えて信号線Ｌ６を選択する。これにより、入力端子Ｐｉ、信号線Ｌ４，Ｌ６，出力端子Ｐｏが電気的に接続される。そして、入力端子Ｐｉからの電気信号の信号レベルが、減衰器２、３それぞれによって１／１０づつ減衰され、全体として入力信号に対して１／１００に減衰されて出力端子Ｐｏに伝送される。
【００２０】
【特許文献１】特開２００１−３４５６５９号公報
【発明の開示】
【発明が解決しようとする課題】
【００２１】
このように減衰器有りの信号線、減衰器無しの信号線の経路を設け、これらの経路を選択することによって、所望の減衰量で入力信号を減衰して出力する。
【００２２】
一般的に可変減衰装置は、どのような周波数帯域であっても、入力信号の波形の形状を劣化させることなく波形品位を保ったまま入力信号を減衰させることが要求される。また、可変減衰装置に接続される回路や機器に影響を与えないように、入力インピーダンスも一定である必要がある。
【００２３】
しかしながら、図５に示す装置（１段の減衰器１で１／１００に減衰）の場合、減衰器１の分圧比（抵抗Ｒ１ａの抵抗値＞＞抵抗Ｒ１ｂの抵抗値）が大きい。そのため、抵抗Ｒ１ａの寄生容量よって、数十［ＭＨｚ］を超えるような高周波数領域では、出力端子Ｐｏの信号にオーバーシュート等の現象が発生し、波形が歪んでしまい、波形品位が悪くなるという問題があった。
【００２４】
また、抵抗Ｒ１ａの寄生容量の影響を補償するために抵抗Ｒ１ｂに並列に可変コンデンサを設けたとしても、抵抗Ｒ１ａ、Ｒ１ｂの抵抗比（約１００倍）が大きいため、寄生容量の容量変動に対し約１００倍の感度で補償用コンデンサを調整する必要があり、事実上、寄生容量の影響を除去することが非常に困難であるという問題があった。
【００２５】
一方、図６に示す装置（減衰比が１／１０の減衰器２、３を２段直列接続）の場合、減衰器２、３での分圧比が小さいので高周波数領域まで特性がよい。
【００２６】
しかしながら、どの減衰量であっても入力インピーダンスを１［ＭΩ］とする必要があるため、必然的に、抵抗Ｒ０と並列接続になる抵抗Ｒ２ｂ，Ｒ３ｂの抵抗値が大きくなる。これによって、出力側（出力端子Ｐｏ）からみた出力インピーダンスが大きくなり（図６では、約１００［ｋΩ］）、特に、減衰量１／１００の場合、抵抗Ｒ３ｂによる熱雑音が大きくなり、その結果、ノイズが大きくなるという問題があった。また、外部からの外来ノイズの影響も受けやすくなるという問題があった。
【００２７】
そこで本発明の目的は、大きな減衰量であってもノイズの影響等を少なくし、広帯域にわたって入力信号の波形の劣化を抑えた可変減衰装置を実現することにある。
【課題を解決するための手段】
【００２８】
請求項１記載の発明は、
入力端子に入力された電気信号を減衰して出力端子から出力する可変減衰装置において、
前記入力端子からの電気信号を、抵抗で分圧して減衰させる初段の減衰器と、
この初段の減衰器からの電気信号を、抵抗で分圧して減衰させて前記出力端子に出力する後段の減衰器と、
この後段の減衰器に並列に設けられ、抵抗を介して接地されている信号線と、
前記後段の減衰器または前記信号線の一方に、前記初段の減衰器からの出力を伝送させる切替スイッチと
を設けたことを特徴とするものである。
請求項２記載の発明は、
入力端子に入力された電気信号を減衰して出力端子から出力する可変減衰装置において、
第１の信号線と、
この第１の信号線と並列に設けられ、前記電気信号を抵抗で分圧して減衰させる減衰器を複数有する第２の信号線と、
前記第１の信号線または第２の信号線の一方を選択し、選択した信号線を介して前記入力端子からの電気信号を前記出力端子に伝送させる第１の切替スイッチと
を設け、
前記第２の信号線は、
前記入力端子からの電気信号を、抵抗で分圧して減衰させる初段の減衰器と、
この初段の減衰器からの電気信号を、抵抗で分圧して減衰させて前記出力端子に出力する後段の減衰器と、
この後段の減衰器に並列に設けられ、抵抗を介して接地されている信号線と、
前記後段の減衰器または前記信号線の一方に、前記初段の減衰器からの出力を伝送させる第２の切替スイッチと
を備えたことを特徴とするものである。
請求項３記載の発明は、請求項２記載の発明において、
前記入力端子と前記第１の切替スイッチの間に分圧用の抵抗を設けたことを特徴とするものである。
請求項４記載の発明は、請求項１〜３のいずれかに記載の発明において、
入力インピーダンスが減衰量によらず一定となることを特徴とするものである。
【発明の効果】
【００２９】
抵抗で分圧して電気信号を減衰させる減衰器を２段配置し、後段の減衰器に対するスルー用の信号線（減衰比１／１）を抵抗を介して接地させるので、後段の減衰器中の抵抗の抵抗値を小さくできる。これにより、大きな減衰量（初段、後段両方の減衰器で減衰させる場合）であっても出力インピーダンスを小さくできると共に、２段の減衰器で入力信号を減衰するので各減衰器の分圧比を小さくでき、高周波数領域でも信号の波形品位が悪化しない。従って、大きな減衰量であってもノイズの影響等を少なくし、広帯域にわたって入力信号の波形の劣化を抑えることができる。
【発明を実施するための最良の形態】
【００３０】
以下図面を用いて本発明の実施の形態を説明する。
［第１の実施例］
図１〜図３は、本発明の第１の実施例を示した構成図であり、可変減衰装置の入力側からみた入力インピーダンスを１［ＭΩ］にした例を示している。ここで、図１は、入力信号に対する出力信号の減衰量を１／１とし、図２は減衰量を１／１０とし、図３は減衰量を１／１００とする構成例である。
【００３１】
図１〜図３において、入力端子Ｐｉは本装置の入力端子であり、出力端子Ｐｏは本装置の出力端子であり、入力端子Ｐｉに入力された入力信号（電気信号）を所望の減衰量（１／１〜１／１００）で減衰させて出力端子Ｐｏから出力する。また、出力端子Ｐｏからの信号は、後段の高入力インピーダンスのバッファ回路（図示せず）に入力される。
【００３２】
減衰器無しの信号線Ｌ７は、端子Ｐｉ，Ｐｏ間に設けられ、減衰比１／１であり、スルー用の経路である。
【００３３】
信号線Ｌ８は、信号線Ｌ７と並列に設けられ、抵抗で分圧する減衰器４、５を合計２個有する。
【００３４】
なお、信号線Ｌ７は、特許請求の範囲の第１の信号線に相当し、信号線Ｌ８は第２の信号線に相当する。
【００３５】
第１の切替スイッチＳＷ５ａ（入力側）、ＳＷ５ｂ（出力側）は、連動して切替を行ない、信号線Ｌ７または信号線Ｌ８を択一的に選択し、選択した信号線Ｌ７，Ｌ８を介して入力端子Ｐｉからの電気信号を出力端子Ｐｏに伝送させる。
【００３６】
より詳細には、入力側のスイッチＳＷ５ａの入力端が入力端子Ｐｉに接続され、一方の出力端が信号線Ｌ７の一端に接続され、他方の出力端が信号線Ｌ８の一端に接続される。出力側のスイッチＳＷ５ｂの一方の入力端が信号線Ｌ７の他端に接続され、他方の入力端が信号線Ｌ８の他端に接続され、出力端が出力端子Ｐｏに接続される。
【００３７】
信号線Ｌ８は、初段の減衰器４、信号線Ｌ９に設けられる後段の減衰器５、減衰器無しの信号線Ｌ１０、第２の切替スイッチＳＷ６ａ（入力側）、ＳＷ６ｂ（出力側）を有し、切替スイッチＳＷ５ａからの入力信号の信号レベル（電圧の振幅）を、１／１０または１／１００に減衰してスイッチＳＷ５ｂに伝送する。ここで、初段とは、後段よりも入力端子Ｐｉに近く信号が先に入力されることを意味する。
【００３８】
初段の減衰器４は、抵抗Ｒ４ａと抵抗Ｒ４ｂの抵抗比で信号を分圧する分圧回路であり、抵抗Ｒ４ａ、Ｒ４ｂの接点が減衰器４の出力になる。抵抗Ｒ４ａ、Ｒ４ｂの抵抗値それぞれは、例えば、９９０［ｋΩ］、２２２［ｋΩ］である。そして、減衰器４は、信号線Ｌ８の一端から入力された信号を、抵抗Ｒ４ａ、Ｒ４ｂの抵抗比に従って分圧して減衰し、スイッチＳＷ６ａに伝送する。なお、抵抗Ｒ４ａは信号線Ｌ８上に設けられ、抵抗Ｒ４ｂは信号線Ｌ８とグランド間に設けられる。
【００３９】
後段の減衰器５は、抵抗Ｒ５ａと抵抗Ｒ５ｂの抵抗比で信号を分圧する分圧回路であり、抵抗Ｒ５ａ、Ｒ５ｂの接点が減衰器５の出力になる。抵抗Ｒ５ａ、Ｒ５ｂの抵抗値それぞれは、例えば、２００［ｋΩ］、２２．７［ｋΩ］である。そして、減衰器５は、切替スイッチＳＷ６ａ、ＳＷ６ｂ間に設けられ、スイッチＳＷ６ａからの信号を、抵抗Ｒ５ａ、Ｒ５ｂの抵抗比に従って分圧して減衰し、スイッチＳＷ６ｂに伝送する。なお、抵抗Ｒ５ａは信号線Ｌ９上に設けられ、抵抗Ｒ５ｂは信号線Ｌ９とグランド間に設けられる。
【００４０】
信号線Ｌ１０は、減衰比１／１であって、信号線Ｌ９と並列に設けられ、抵抗Ｒ６を介してグランドに接地される。なお、抵抗Ｒ６の抵抗値は２２２［ｋΩ］である。
【００４１】
第２の切替スイッチＳＷ６ａ、ＳＷ６ｂは、連動して切替を行ない、信号線Ｌ９または信号線Ｌ１０を択一的に選択し、選択した信号線Ｌ９，Ｌ１０を介して入力側の切替スイッチＳＷ５ａからの電気信号を出力側の切替スイッチＳＷ５ｂに伝送させる。
【００４２】
より詳細には、スイッチＳＷ６ａの入力端が減衰器５の出力側に接続され、一方の出力端が信号線Ｌ９の一端（減衰器５の入力側）に接続され、他方の出力端が信号線Ｌ１０の一端に接続される。スイッチＳＷ６ｂの一方の入力端が信号線Ｌ９の他端（減衰器５の出力側）に接続され、他方の入力端が信号線Ｌ１０の他端に接続され、出力端が切替スイッチＳＷ５ｂの他方の入力端に接続される。
【００４３】
抵抗Ｒ０は、出力端子Ｐｏとグランド間に設けられ、抵抗値は１［ＭΩ］である。
なお、各抵抗の抵抗値は、どのような値でもよく、第１の切替スイッチＳＷ５ａ、ＳＷ５ｂおよび第２の切替スイッチＳＷ６ａ、ＳＷ６ｂの接続に関わらず、つまり、減衰量１／１、１／１０、１／１００に関わらず、入力インピーダンスが１［ＭΩ］と一定になるような抵抗値を組み合わせればよい。
【００４４】
このような装置の動作を説明する。
減衰量（入力信号の振幅に対する出力信号の振幅の大きさ）を１／１とする場合（図１参照）、切替スイッチＳＷ５ａ、ＳＷ５ｂが、接続を切り替えて信号線Ｌ７を選択する。この際、切替スイッチＳＷ６ａ、６ｂの接続はどのような状態であってもよい。これにより、入力端子Ｐｉ、信号線Ｌ７，出力端子Ｐｏが電気的に接続され、入力端子Ｐｉからの電気信号が、減衰量１／１で出力端子Ｐｏに伝送される。もちろん、入力インピーダンスは、１［ＭΩ］である。
【００４５】
減衰量を１／１０とする場合（図２参照）、切替スイッチＳＷ５ａ、ＳＷ５ｂが、接続を切り替えて信号線Ｌ８を選択し、切替スイッチＳＷ６ａ、ＳＷ６ｂが、接続を切り替えて信号線Ｌ１０を選択する。これにより、入力端子Ｐｉ、信号線Ｌ８，Ｌ１０，出力端子Ｐｏが電気的に接続される。そして、入力端子Ｐｉからの電気信号の信号レベルが、減衰器４によって１／１０に減衰されて出力端子Ｐｏに伝送される。
【００４６】
この際、入力インピーダンスは、抵抗Ｒ０、Ｒ４ａ、Ｒ４ｂ，Ｒ６の合成抵抗となり、約１［ＭΩ］である。すなわち、後段の減衰器５に対するスルー用の信号線Ｌ１０に抵抗Ｒ６を設けることにより、図６と比較して、初段の減衰器４の抵抗Ｒ４ｂの抵抗値を大きくできる。なお、出力側（出力端子Ｐｏ）からみた出力インピーダンスは、約１１１［ｋΩ］であり、図６とほとんど変わらず、ノイズ特性が悪化することも無い。
【００４７】
減衰量を１／１００とする場合（図３参照）、切替スイッチＳＷ５ａ、ＳＷ５ｂが、接続を切り替えて信号線Ｌ８を選択し、切替スイッチＳＷ６ａ、ＳＷ６ｂが、接続を切り替えて信号線Ｌ９を選択する。これにより、入力端子Ｐｉ、信号線Ｌ８，Ｌ９，出力端子Ｐｏが電気的に接続される。そして、入力端子Ｐｉからの電気信号の信号レベルが、初段の減衰器４によって１／１０に減衰され、後段の減衰器５によって更に１／１０に減衰され、全体として入力信号に対して１／１００に減衰されて出力端子Ｐｏに伝送される。
【００４８】
この際、入力インピーダンスは、抵抗Ｒ０、Ｒ４ａ、Ｒ４ｂ、Ｒ５ａ、Ｒ５ｂの合成抵抗となり、約１［ＭΩ］である。また、出力側（出力端子Ｐｏ）からみた出力インピーダンスも、抵抗Ｒ０、Ｒ４ａ、Ｒ４ｂ，Ｒ５ａ、Ｒ５ｂの合成抵抗となるが、１／１００の経路の信号線Ｌ９とグランド間の抵抗Ｒ５ｂが支配的であり、約２０［ｋΩ］程度になる。すなわち、初段の減衰器４の抵抗Ｒ４ｂの抵抗値を大きくとることができるため（スルー用の信号線Ｌ１０の抵抗Ｒ６があるため）、後段の抵抗Ｒ５ｂの抵抗値を小さく（（抵抗Ｒ０の抵抗値＞＞抵抗Ｒ５ｂの抵抗値））することができる。
【００４９】
このように、減衰器無しの経路（信号線Ｌ７）を、減衰器有りの経路（信号線Ｌ８）全体に対して並列にする。そして、減衰器ありの経路（信号線Ｌ８）上に減衰比１／１０の減衰器４、５の２段を配置することにより、後段の減衰器５に対するスルー用の経路（装置全体の減衰量１／１０で用いる信号線Ｌ１０）に抵抗Ｒ６を設けても入力インピーダンスを１［ＭΩ］に保つことができる。さらに、図６と異なり、スルー用の経路（信号線Ｌ１０）に抵抗Ｒ６を設けるので、入力インピーダンスを１［ＭΩ］を保ったままで、減衰量１／１００で用いる減衰器５の抵抗Ｒ５ｂの抵抗値を小さくできる。これにより、大きな減衰量（図１では１／１００）であっても出力インピーダンスを小さくできると共に、２段の減衰器４、５で入力信号を減衰するので各減衰器４、５の分圧比を小さくでき、高周波数領域でも信号の劣化を抑えることができる。従って、大きな減衰量であってもノイズの影響等を少なくし、広帯域にわたって入力信号の波形の劣化を抑えることができる。
【００５０】
［第２の実施例］
図４は、本発明の第２の実施例を示した構成図である。図１と同一のものには同一符号を付し、説明を省略する。図４は、１／１、１／１０、１／１００の減衰量の代わりに、所望の減衰比とする構成を示した例である。
【００５１】
図４において、入力端子Ｐｉと入力側の切替スイッチＳＷ５ａの信号線上に抵抗Ｒ７が新たに設けられる。ここで、抗Ｒ７と抵抗Ｒ０との抵抗比を選ぶとこにより、減衰量１／１でなく、所望の減衰量とすることができる。
【００５２】
図４では、抵抗Ｒ０（８００［ｋΩ］）、抵抗Ｒ７（２００［ｋΩ］）との分圧によって定分圧とし、最も少ない減衰量が８／１０となる。その他の抵抗は、入力インピーダンスが１［ＭΩ］となるように、例えば、抵抗Ｒ４ａ＝７２０［ｋΩ］、抵抗Ｒ４ｂ＝１７８［ｋΩ］、抵抗Ｒ５ａ＝１３１［ｋΩ］、抵抗Ｒ５ｂ＝１４．８［ｋΩ］、抵抗Ｒ６＝１７８［ｋΩ］とする構成例である。
【００５３】
このような装置の動作は、図１に示す装置とほぼ同様であるが、スイッチＳＷ５ａ前段の抵抗Ｒ７とスイッチＳＷ５ａより後段の抵抗との抵抗比により、図１に示す装置での１／１、１／１０、１／１００であった入力信号に対する減衰量が、８／１０、８／１００、８／１０００になる。
【００５４】
なお、本発明はこれに限定されるものではなく、以下に示すようなものでもよい。
（１）図１に示す装置において、１／１、１／１０、１／１００の３種類で入力信号を減衰させる構成を示したが、信号を減衰させない経路１／１が不要の場合、つまり、減衰量が１／１０、１／１００の２種類の場合、信号線Ｌ７、第１の切替スイッチＳＷ５ａ、ＳＷ５ｂは不要である。図２でも同様である。
【００５５】
（２）図１に示す装置において、減衰量１／１での入力インピーダンス１［ＭΩ］の例を示したが、その他の抵抗Ｒ４ａ、Ｒ４ｂ、Ｒ５ａ、Ｒ５ｂ、Ｒ６の抵抗値は、各減衰量１／１０、１／１００における合成抵抗値（入力インピーダンス）が約１［ＭΩ］となればよく、どのような抵抗値を組合せてもよい。また、入力インピーダンスは特に１［ＭΩ］にこだわる必要はなく、どのような値でもよい。
【００５６】
（３）図１、図２に示す装置において、信号線Ｌ８に初段の減衰器４、後段の減衰器５の２個の減衰器を設ける構成を示したが、複数個の減衰器を設けてよい。例えば、３個にする場合、後段の減衰器５と第２の切替スイッチＳＷ６ｂの間に、減衰器を持つ信号線とスルー用の信号線（抵抗を介して接地させる）とを並列に設け、切替スイッチで接続を択一的に行なうとよい。
【図面の簡単な説明】
【００５７】
【図１】本発明の第１の実施例（減衰量１／１）を示した構成図である。
【図２】図１に示す装置で減衰量１／１０の場合の実施例を示した構成図である。
【図３】図１に示す装置で減衰量１／１００の場合の実施例を示した構成図である。
【図４】本発明の第２の実施例を示した構成図である。
【図５】従来の可変減衰装置の構成を示した図である。
【図６】従来の可変減衰装置のその他の構成を示した図である。
【符号の説明】
【００５８】
４  初段の減衰器
５  後段の減衰器
Ｐｉ  入力端子
Ｐｏ  出力端子
Ｌ７〜Ｌ１０  信号線
Ｒ０、Ｒ４ａ、Ｒ４ｂ，Ｒ５ａ、Ｒ５ｂ，Ｒ６，Ｒ７  抵抗
ＳＷ５ａ、ＳＷ５ｂ、ＳＷ６ａ、ＳＷ６ｂ  切替スイッチ
【図１】
2008271451.tif 000003
【図２】
2008271451.tif 000004
【図３】
2008271451.tif 000005
【図４】
2008271451.tif 000006
【図５】
2008271451.tif 000007
【図６】
2008271451.tif 000008